(57)【特許請求の範囲】
【請求項１】
入力輝度信号を、所定の規格に準拠した信号レベルに変換して出力する映像信号増幅装置において、
上記入力輝度信号の信号レベルを、所定倍に増幅することにより所定の規格に準拠した信号レベルにする振幅増幅手段と、
前記振幅増幅手段から出力された信号を入力して所定の低域周波数成分を通過させるローパスフィルタと、
入力されてきた信号の所定の性質を検出し、該検出値に対応した制御信号を出力する制御手段と、
上記制御信号により前記振幅増幅手段の出力と前記ローパスフィルタの出力の何れか一方を選択して外部へ出力する選択手段とを有していることを特徴とする映像信号増幅装置。
【請求項２】
入力アナログ輝度信号を、所定の規格に準拠した信号レベルに変換して出力する映像信号Ａ−Ｄ変換において、
上記入力アナログ輝度信号の信号レベルを、所定倍に増幅することにより所定の規格に準拠した信号レベルにする振幅増幅手段と、
前記振幅増幅手段から出力された信号を入力して所定の低域周波数成分を通過させるローパスフィルタと、
入力されてきた信号の所定の性質を検出し、該検出値に対応した制御信号を出力する制御手段と、
上記制御信号により前記振幅増幅手段の出力と前記ローパスフィルタの出力の何れか一方を選択して外部へ出力する選択手段とを有していることを特徴とする映像信号Ａ−Ｄ変換装置。
【請求項３】
Ａ−Ｄコンバータ回路と、
前記Ａ−Ｄコンバータ回路から出力された信号を入力してＹ／Ｃ分離した輝度信号の信号レベルを、所定倍に増幅することにより通信規約や映像信号用機器の規格に準拠した信号レベルにするデジタル振幅増幅回路と、
前記デジタル振幅増幅回路から出力されたデジタル信号を入力されて所定の低域周波数成分を通過させるローパスフィルタと、
入力されてきた信号の所定の性質を検出し、該検出値に対応した制御信号を出力する制御部と、
前記制御部からの制御信号により前記デジタル振幅増幅回路の出力と前記ローパスフィルタの出力の何れか一方を選択して外部へ出力する選択回路とを有していることを特徴とする映像信号Ａ−Ｄ変換装置。
【請求項４】
アナログ方式のテレビジョン信号を２のＮ乗ビットのデジタル信号に変換するＡ−Ｄコンバータ回路と、
前記Ａ−Ｄコンバータ回路から出力されたデジタル信号から同期信号を検出する同期信号検出回路と、
前記Ａ−Ｄコンバータ回路から出力されたデジタル信号を前記同期信号検出回路から出力される同期信号を用いて輝度信号と搬送波色信号に分離して出力するＹ／Ｃ分離回路と、
前記Ｙ／Ｃ分離回路から出力された輝度信号の同期信号部分を規定値に変換する同期信号変換回路と、
前記同期信号変換回路から出力された信号レベルを、所定倍に増幅することにより通信規約や映像信号用機器の規格に準拠した信号レベルにするデジタル振幅増幅回路と、
前記デジタル振幅増幅回路から出力されたデジタル信号を入力されて所定の低域周波数成分を通過させるローパスフィルタと、
入力されてきた信号の所定の性質を検出し、該検出値に対応した制御信号を出力する制御部と、
前記制御部からの制御信号により前記デジタル振幅増幅回路の出力と前記ローパスフィルタの出力のいずれか一方を選択して外部へ出力する選択回路とを有していることを特徴とする映像信号Ａ−Ｄ変換装置。
【請求項５】
前記デジタル振幅増幅回路は、
デジタル乗算器若しくは１又は複数のシフターと該シフター（群）からの出力と原信号を加算する加算回路からなっていることを特徴とする請求項４記載の映像信号Ａ−Ｄ変換装置。
【請求項６】
前記制御部は、
Ａ−Ｄコンバータ回路若しくはＹ／Ｃ分離回路からの出力信号の動き検出を行い、該動き検出値がしきい値以上であれば前記選択手段が前記デジタル振幅増幅回路の出力を選択し、しきい値より小さければ前記ローパスフィルタの出力を選択する制御信号を生成する動き検出制御部であることを特徴とする請求項４若しくは請求項５に記載の映像信号Ａ−Ｄ変換装置。
【請求項７】
前記制御部は、
Ａ−Ｄコンバータ回路若しくはＹ／Ｃ分離回路からの出力信号の相関検出を行い、該相関検出値がしきい値以上であれば前記選択手段が前記デジタル振幅増幅回路の出力を選択し、しきい値より小さければ前記ローパスフィルタの出力を選択する制御信号を生成する相関検出制御部であることを特徴とする請求項４若しくは請求項５に記載の映像信号Ａ−Ｄ変換装置。
【請求項８】
前記制御部は
Ａ−Ｄコンバータ回路若しくはＹ／Ｃ分離回路からの出力信号の動き検出と相関検出を行い、該動き検出値と相関検出値が共にしきい値以上であれば前記選択手段が前記デジタル振幅増幅回路の出力を選択し、その他の場合は前記ローパスフィルタの出力を選択する制御信号を生成する動き相関検出制御部を有していることを特徴とする請求項４若しくは請求項５に記載の映像信号Ａ−Ｄ変換装置。
【発明の詳細な説明】
【０００１】
【発明の属する技術分野】
本発明は映像信号処理装置に関し、特にアナログ方式のテレビジョン信号を所定のデジタル符号化規格に適合するように変換するものに関する。
【０００２】
【従来の技術】
近年、ＤＶＣ（デジタルービデオーカセット）等映像信号をデジタル処理することによりノイズの少ない映像を記録出来る機器が普及し始めている。そこで、より精度よく、より簡単にアナログ方式のテレビジョン信号を所定のデジタル符号化規格に準じる信号に変換する装置の開発が求められている。
【０００３】
ところで、アナログ方式のテレビジョン信号は、例えばＮＴＳＣ方式ではＥＩＡ規格ＲＳ−１７０として制定されている。
これは、図１に示すように、輝度信号と搬送波色信号が多重された映像信号部分とテレビ受像器に映像を映すために用いられる同期信号部分よりなり、それぞれの信号レベルは、同期信号を４０とすると映像信号は黒レベルから白ピークまでの間が１００の映像信号レベルになるように定められている。
【０００４】
また、デジタル符号化規格は、例えばコンポーネント信号のデジタル符号化規格として、ＩＴＵ勧告ＩＴＵ−Ｒ．ＢＴ６０１として定められている。
これは、輝度信号、搬送波色信号のアナログ信号をデジタル信号へ変換するときに、サンプリング周波数、量子化の信号レベルなどが定められている。
【０００５】
そして、例えばＮＴＳＣ方式においては、同期信号はなく、また輝度信号はアナログデータの値を採取する周期たるサンプリング周波数が１３．５Ｍｈｚ、量子化の信号レベルが１サンプルを８ビットで表現する（変換する）場合、黒レベルは１６／２５５（＝２８  −１）、白ピークレベルは２３５／２５５とされている。
このため、図２に示すごとく、両方の規格では、映像信号レベルの相違が生じる。本図において、左がＥＩＡ規格ＲＳ−１７０であり、右がＩＴＵの勧告ＩＴＵ−Ｒ．ＢＴ６０１である。
【０００６】
従って、アナログ映像をデジタルに変換する場合、この調整が必要となる。以下、このことを考慮して従来のアナログ方式のテレビジョン信号をデジタル符号化規格の信号へ変換する装置について、図を参照しつつ説明する。
【０００７】
図３は、この装置の構成図である。
本図において、１１１と１１２は、各上流側及び下流側のＡ−Ｄコンバータ回路である。１２は、Ｙ／Ｃ分離回路である。１３１と１３２は、各上流側及び下流側の同期信号検出回路である。３１は、Ｄ−Ａコンバータ回路である。３２は、振幅増幅回路である。１４は、同期信号変換回路である。
【０００８】
以下、この映像処理装置の作用を説明する。
例えばＮＴＳＣ方式のようなアナログ方式のテレビジョン信号が入力端子１０から上流側のＡ−Ｄコンバータ回路１１１に入力されると、ここで８ビットのデジタル信号に変換される。このＡ−Ｄコンバータ回路の信号レベルであるが、先の図１に示すような信号は、図４に示すように黒レベル部分が例えば６４／２５５、白ピークレベルが２１０／２５５とされる。
上流側の同期信号検出回路１３１は、この８ビットデジタル信号から同期信号を検出する。
【０００９】
Ｙ／Ｃ分離回路１２は、検出された同期信号を用いて８ビットデジタル信号を輝度信号と搬送波色信号に分離する。
この分離された輝度信号は、Ｄ−Ａコンバータ回路３１により再度アナログ信号に変換され、また同期信号と輝度信号と搬送波色信号の入ったコンポジット信号を輝度信号と同期信号の入った信号及び搬送波色信号に分割したコンポーネント信号に直すべく振幅増幅回路３２により黒レベルと白ピークの間の信号レベルが入力信号の１．５倍になるように増幅される。
増幅された輝度信号は、下流側のＡ−Ｄコンバータ回路１１２により再度８ビットデジタル信号に変換される。
このときＡ−Ｄコンバータ回路１１２の出力信号の信号レベルは、図２の右側に示すように黒レベル１６／２５５、白ピークレベル２３５／２５５に変換することが出来る。
【００１０】
下流側の同期信号検出回路１３２は、振幅増幅回路３２からの出力信号から同期信号を検出する。
同期信号変換回路１４は、この同期信号検出回路からの同期信号を用いて、輝度信号の同期信号部分は例えば１６／２５５に固定し、映像部分はそのまま出力する。
そして、最後に搬送信号と輝度信号は別々に図示しない表示部へ出力され、両信号を足し合わせて送る場合よりも良好な映像が表示されることとなる。
以上のようにすれば、ＮＴＳＣ規格のようなアナログ方式のテレビジョン信号を規定のデジタル符号化規格に適合した信号に変換することが出来る。
【００１１】
【発明が解決しようとする課題】
しかしながら、この回路構成では、入力信号が上流側のＡ−Ｄコンバータ回路１１１でデジタル信号に変換された後、コンポジット信号をコンポーネント信号に変換するため再度Ｄ−Ａコンバータ回路３１と下流側のＡ−Ｄコンバータ回路１１２で変換されることとなり、その結果Ｓ／Ｎ比が劣化する。
更に、輝度信号の信号レベルを変更するために、Ｄ−Ａコンバータ回路と２個のＡ−Ｄコンバータ回路を用いるためコストが高くなる。
このため、Ｓ／Ｎ比が劣化することがなく、更に回路規模も小さく安価な映像信号処理装置の実現が望まれている。
【００１２】
次に、以上は通常米国や日本で用いられているＮＴＳＣ方式のテレビジョン映像におけるＡ／Ｄ変換での処理を対象としたものであるが、Ａ／Ｄ変換に際して技術の進歩等に伴い、幾つかの規格が相違するため、その調整としての増幅等が必要という問題は他の方式でも生じうる。
このため、これらの場合にも応用しうる技術の開発が望まれていた。
また、増幅等の調整を行なった結果、調整に伴うノイズの発生や映像信号の性質の如何に依って、処理後の映像が却って見づらくなったりしてはならないのは当然である。
このため、調整の際の処理の関係で映像が劣化したりしない技術の開発も望まれていた。
【００１３】
【課題を解決するための手段】
本発明は、係る課題を解決することを目的としてなされたものであり、従来の処理の要部をアナログでなくデジタルで行うものである。
具体的には以下の構成としている。
【００１４】
本発明の請求項１においては、入力輝度信号を所定の規格に準拠した信号レベルに変換して出力する映像信号増幅装置において、入力輝度信号の信号レベルを、所定倍に増幅することにより上記所定の規格に準拠した信号レベルにする振幅増幅手段と、振幅増幅手段から出力された信号を入力して所定の低域周波数成分を通過させるローパスフィルタと、入力輝度信号の所定の性質を（入力輝度信号から）直接的あるいは（ＡＤコンバータや振幅増幅手段からの出力信号から）間接的に検出し、該検出値に対応した制御信号を出力する制御手段と、制御信号により前記振幅増幅手段の出力と前記ローパスフィルタの出力の何れか（ユーザにとり見易い方の）一方を選択して外部へ出力する選択手段とを有していることを特徴としている。
これにより、信号レベルの増幅に伴い発生したノイズ、例えばあらかじめ存在しないと判明している高周波成分があれば、制御手段がこれを検出してローパスフィルタを通過した増幅信号を外部への出力信号として選択したり、増幅信号が一旦ローパスフィルタを通過する様にしたりして外部への出力信号のノイズが除去される。
【００１５】
また、請求項２においては、映像信号Ａ−Ｄ変換装置において、入力されてきたアナログ輝度信号が、振幅増幅手段により所定倍に増幅されて所定の規格に準拠した信号レベルに変換される。この下で、入力されてきたアナログ輝度信号の所定の性質に依っては、制御手段と選択手段の作用の下で振幅増幅手段からの出力信号そのままでなく更にローパスフィルタを通過したデジタル信号が外部に出力されることとなる。
【００１６】
また、請求項３においては、Ａ−Ｄコンバータ回路が、処理対象のアナログ信号、例えばアナログ方式のテレビジョン信号を、２Nビット、例えば８ビットのデジタル信号に変換する。デジタル振幅増幅回路が、Ａ−Ｄコンバータ回路から出力された信号を入力してＹ／Ｃ分離した輝度信号のレベルを、所定倍に増幅することにより通信規約や映像信号用機器の規格に準拠した信号レベルにする。具体的には、例えば１．５倍に増幅する。この下で、ローパスフィルタと制御部と選択回路が作用して、必要に応じて各処理で発生した雑音等を除去し、最適な信号が外部に出力されることとなる。
【００１７】
また、請求項４においては、本装置（回路）の外部から入力されてきた信号の所定の性質を検出し、該検出値に対応して選択や切換えのための制御信号を発する制御部と、制御部からの制御信号によりデジタル振幅増幅回路の出力信号と一旦ローパスフィルタを通した信号のいずれか一方を選択して出力する選択回路とを有している。
これにより、選択回路は、元の信号に近いが丸め誤差がある信号または丸め誤差は少ないがローパスフィルタにより画質が多少劣化している信号の一方を、視覚特性に合わせて適切に選択し出力することとなる。
【００１８】
また、請求項５においては、請求項４のデジタル振幅増幅回路を、デジタル乗算器若しくはディジタル信号を右や左へ所定ビットだけシフトする１又は複数個のシフターと該シフター（群）からの出力信号と原信号加算をする加算回路を有している。
【００１９】
また、請求項６においては、請求項４と同５における制御部は入力されてきた映像信号の動き検出を行い、動き検出値がしきい値以上であれば選択手段がデジタル振幅増幅回路の出力を選択し、しきい値より小さければローパスフィルタの出力を選択する制御信号を生成する動き検出制御部としている。
これにより、出力しようとする映像信号を動画と判断した場合には、動画は視覚特性的に丸め誤差が目立たないために丸め誤差があっても元の信号に近い信号を出力し、静止画と判断した場合には、静止画は視覚特性的に丸め誤差が目立つためにフィルタを通過させた丸め誤差が小さい信号を出力する。
【００２０】
また、請求項７においては、請求項４と同５における制御部は入力されてきた映像信号の相関検出を行い、相関検出値がしきい値以上であれば選択手段がデジタル振幅増幅回路の出力を選択し、しきい値より小さければローパスフィルタの出力を選択する制御信号を生成する相関検出制御部としている。
これにより、出力しようとする映像信号を相関が弱いと判断した場合には、相関の弱い映像信号は視覚特性的に丸め誤差が目立たないために丸め誤差があっても元の信号に近い信号を出力し、相関が強いと判断した場合には、相関の強い映像信号は視覚特性的に丸め誤差が目立つためにフィルタを通過させた丸め誤差が小さい信号を出力する。
【００２１】
また、請求項８においては、請求項４と同５における制御部は、動きと相関の両方を検出して、適切な制御を行なう動き相関検出制御部としている。
【００２２】
【発明の実施の形態】
以下、本発明を幾つかのその好ましい実施の形態に基づいて説明する。
【００２３】
（デジタル信号の増幅部）
先ず、本発明の各実施の形態に採用しているデジタル信号の増幅部について、少し詳しく説明する。
図５は、このデジタル信号の増幅部の構成図である。本図において、１１はＡ−Ｄコンバータ回路である。１２は、Ｙ／Ｃ分離回路である。１３は、同期信号検出回路である。１４は、同期信号変換回路である。１５は、デジタル振幅増幅回路である。
【００２４】
以下、この装置の作用を説明する。
例えばＮＴＳＣ方式のようなアナログ方式のテレビジョン信号が、入力端子１０からＡ−Ｄコンバータ回路１１に入力されると、この回路にて、この入力されたアナログ信号は８ビットのデジタル信号に変換される。
このＡ−Ｄコンバータ回路１１の信号レベルは、従来技術と同じく例えば図４に示すように黒レベル部分が例えば６４／２５５、白ピークレベルが２１０／２５５となるように変換される。
次に、同期信号検出回路１３が、この８ビットデジタル信号から同期信号を検出する。
【００２５】
Ｙ／Ｃ分離回路１２は、検出された同期信号を用いてＡ−Ｄコンバータ回路１１から出力される８ビットデジタル信号を輝度信号と搬送波色信号に分離する。このときの輝度信号の信号レベルは、上述の如く例えば黒レベル６４／２５５、白ピークレベル２１０／２５５である。
同期信号変換回路１４は、同期信号検出回路１３から出力される同期信号を用いて、輝度信号を同期信号部分の信号レベルを例えば６４／２５５に固定する。更に、デジタル振幅増幅回路１５により、この信号が黒レベル１６／２５５、白ピークレベル２３５／２５５になるように変換され、デジタル符号化規格に直した信号として出力される。
【００２６】
以下、このデジタル振幅増幅回路の作用について説明する。
同期信号変換回路１４での信号レベルを、例えば黒レベル６４／２５５、白ピークレベル２１０／２５５とし、同期信号変換回路１４から出力された任意の信号のレベルをＸとする。
また、デジタル振幅増幅回路１５での信号レベルを黒レベル１６／２５５、白ピークレベル２３５／２５５とする。
ここで、デジタル振幅増幅回路１５より出力される上述のＸに対応する信号のレベルをＹとすると、
すると、Ｙ＝（２３５−１６）／（２１０−６４）×（Ｘ−６４）
＝    １．５×（Ｘ−６４）
＝    ｛１＋（１／２）｝×（Ｘ−６４）
となる。
【００２７】
この変換の様子を図６の（ａ）に概念的に示す。
さて、８ビットデジタル回路において入力信号を１／２にすることは、すなわち８ビット信号を１ビット分右にシフトする（最下位の桁は切り捨てる）ことである。
従って、上記のデジタル振幅増幅回路１５は、図６の（ａ）に示すように加算回路１５０と１ビット右シフト回路（シフター）１５１を組み合わせた簡単な回路となる。
【００２８】
以上は通常の８ビットのデジタル映像の場合の処理であるが、ハイビジョン放送においては１０ビットとなる。しかし、この場合の処理も原理的には同じである。
更に、規格に整合させてのデジタル信号の所定倍率への増幅回路は、シフターを適宜組み合わせることにより、簡単に作製可能である。
【００２９】
図６の（ｂ）には、更に２ビット右シフト回路１５２を組み合わせて１．７５倍に増幅する場合のデジタル振幅増幅回路を示す。
更に、ケースによっては、例えば１ビット左へシフトする回路を使用したり、デジタル乗算器を使用したりしての処理もなしうるのは勿論である。
【００３０】
（第１の実施の形態）
図７は、本発明に係る映像信号処理装置の第１の実施の形態の構成図である。本図において、ローパスフィルタ１６を、デジタル振幅増幅回路１５の後流に設けているのが先のデジタル信号の増幅部と相違する。
以上の他、先のデジタル信号の増幅部と同じ構成（部分）については同じ符号を付してその説明を省略する。
【００３１】
以下、この装置の固有の作用を説明する。
外部から入力された、例えばＮＴＳＣ方式のようなアナログ方式のテレビジョン信号が先の第１の実施の形態と同じようにして処理され、その結果、デジタル振幅増幅回路１５が、この入力信号を黒レベル１６／２５５、白ピークレベル２３５／２５５になるように変換し、デジタル符号化規格に準じた信号としてローパスフィルタ１６へ出力する。
ここで、先の実施例のデジタル振幅増幅では、例えば図８に示すようなアナログ信号が入力されると、Ａ−Ｄコンバータ回路１１の出力は切捨てがなされるため図９のようになり、更にこのデータがデジタル振幅増幅回路１５に入力されて、その出力が１．５倍されることとなる。このため、そこでの出力は図１０のようになる。
【００３２】
ここでサンプリング点たるＡ点付近に着目すると、元のアナログ信号では存在しない形状が出来ることとなり、このためＡ点において演算の丸め誤差が目立ってしまうこととなる。
そこで、本実施の形態では、デジタル振幅増幅回路１５の出力を一旦ローパスフィルタ１６に通すことにより、ＮＴＳＣ方式では本来含まれていない６ＭＨｚ以上の高周波をカットしてしまうこととしている。
その結果、図１１に示すようにＡ点の位置の補正がなされ、演算の丸め誤差が低減されることとなる。
そして、これにより優れた表示がなされる。
なおここで、ローパスフィルタのカットする周波数は、本来のアナログ映像の放送、通信方式等や映像の内容に応じて、適宜他の値が採用されたり、調整可能とされていてもよいのは勿論である。
【００３３】
（第２の実施の形態）
図１２に、本発明の第２の実施の形態に係わる映像信号Ａ−Ｄ変換装置の構成を示す。
本実施の形態においては、先の第１の実施の形態の装置に、更に制御回路１７とセレクタ１８を備えた点が相違する。このため、第１の実施の形態と同じ構成については、同じ符号を付して、その説明を省略する。
【００３４】
Ｙ／Ｃ分離回路１２から同期信号変換回路１４への信号線が途中から分岐して制御回路１７へ入力されるが、この信号線を１７ａとする。また、制御回路１７からセレクタ１８への出力信号線を１７ｂとする。また、ローパスフィルタ１６からセレクタ１８への出力信号線を１６ｂとする。
次に、デジタル振幅増幅回路１５からローパスフィルタ１６への信号線が途中から分岐してセレクタ１８へ出力されるが、この信号線を１５ｂとする。
制御回路１７は、Ｙ／Ｃ分離回路１２から出力された輝度信号を入力され、後述の処理を行なった後、セレクタへ所定の切り替え信号を出力する。
セレクタ１８は、制御回路１７からの所定の切り替え信号をもとに、デジタル振幅増幅回路１５からの出力信号線１５ｂと、ローパスフィルタ１６からの出力信号線１６ｂのいずれの信号線を下流側へ接続するかを選択し、選択された方の信号線の信号が下流側へ出力されることとなる。
【００３５】
図１３の（ａ）〜（ｃ）に、図１２における制御回路１７の諸々の構成例を示す。以下、（ａ）〜（ｃ）を順に説明する。
図１３の（ａ）は、図１２の制御回路１７が、各フレーム間の相関を利用して局所的に映像の動きを検出する動き検出制御回路１７１である場合である。
この動き検出制御回路の概略構成を図１４の（ａ）に、概略処理を図１４の（ｂ）に示す。
【００３６】
図１４の（ａ）において、１７１１は、標本点記憶部である。１７１２は標本点採取部である。１７１３は、しきい値記憶部である。１７１４は、比較部である。１７１５は、動き判定部である。１７１６は、切り替え信号出力部である。動き検出方法であるが、標本点採取部１７１２は、本装置の製造時に標本点記憶部１７１１にあらかじめ入力されている標本点を読み出し、読み出したデータをもとに輝度信号から、ある座標Ｘの標本点と１フレーム前の同じ座標Ｘの値を取り出し、これを比較部１７１４へ出力する。
【００３７】
比較部１７１４は、この値の差をしきい値記憶部１７１３にあらかじめ記憶されているデータと比較し、その結果を動き判定部１７１５へ出力する。
動き判定部１７１５は、入力された結果をもとに、動画か静止画かを判断してその旨を切り替え信号出力部１７１６へ出力する。
切り替え信号出力部１７１６は、それに応じて切り替え信号をセレクタ１８へ出力する。
【００３８】
以上の処理の流れの概略を図１４（ｂ）に示す。
セレクタ１８は、動画と判定された信号であればフィルタをかけていない信号を出力し、静止画と判定された信号であればフィルタをかけた信号を出力することとなる。
すなわち、デジタル振幅増幅回路１５の出力をローパスフィルタ１６に通過させることにより演算の丸め誤差を目立たなくさせることができるため、通過後の信号は静止画として出力する場合において有効である。
また、通過させない信号は、劣化がないため本来の信号に近い信号であり、また人間が動画を見る場合、視覚効果により視覚の分解能が低下し演算の丸め誤差が目立たなくなり、丸め誤差は実質的には問題にならない。
以上により、入力信号が動画の場合はセレクタより出力される輝度信号の劣化を低減させることが出来る。
【００３９】
図１３の（ｂ）は、図１２の制御回路１７が局所的にフィールド内（同一画面内の各部）の相関を検出する相関検出制御回路１７２である場合の回路図である。
相関検出方法として例えば信号において、ある座標Ｙの標本点とその周囲８点（上下２点、左右２点、斜め方向４点）の視覚に影響のある色彩と輝度の値の平均値を計算し、その計算結果と標本点の値との差を求め、その差がある基準値以上であれば相関関係無し、その差がある基準値以下であれば相関関係有りと判定してセレクタ１８へ判定結果を出力する。
セレクタ１８は制御信号が相関関係無しと判定された信号であればローパスフィルタ１６をかけていない信号を出力し、相関関係有りと判定された信号であればローパスフィルタ１６をかけた信号を出力する。
【００４０】
さて、視覚効果により、注目標本点付近においてフィールド内の相関関係が大きい場合は演算の丸め誤差が目立ち、相関関係が小さい場合は演算の丸め誤差が目立たない。
すなわち、本実施例では相関関係が低く丸め誤差が目立たない場合を判断し、その場合においてローパスフィルタを通過させない元の信号に近い信号を出力しても実質的に問題をならない。
上記構成により、入力信号が相関関係無しの場合はセレクタより出力される輝度信号の劣化を低減させることが出来る。
なお、この相関検出制御回路の基本的な構成、処理手順は先の動き検出制御回路と同様なので、わざわざの図示は省略する。
【００４１】
図１３（ｃ）は、制御回路１７が動き検出回路１７０と相関検出回路１７３と判定回路１７４で構成されている動き相関検出制御回路である場合の回路である。
本回路の作用であるが、動き検出回路１７０で、動画／静止画の判定を行い、相関検出回路１７３で、相関関係有り／無しの判定を行う。判定回路１７４では、出力する信号が静止画で且つ相関関係がある場合のみセレクタ１８がローパスフィルタ１６を通過させた信号を選択するようにして、その他の場合はセレクタ１８がローパスフィルタ１６を通過させない信号を選択するようにする。
こうすることにより、出力信号が静止画で且つ相関関係が有るといった演算の丸め誤差が目立つ場合のみにローパスフィルタの出力信号を選択することにより、更にローパスフィルタの選択範囲をしぼりこむことが可能となる。
【００４２】
以上の構成により、入力信号が静止画且つ相関関係有り以外の場合はセレクタより出力される輝度信号の劣化を低減させることが出来る。
以上、本発明を２つの実施の形態（及びそれらに採用しているデジタル信号の増幅部と）に基づいて説明してきたが、本発明は何も以上に限定されないのは勿論である。すなわち、例えば以下のようにしてもよい。
【００４３】
▲１▼  製造の便宜等もあり、本発明の１つの構成要素を物理的に複数の物に分割したり、逆に複数の構成要素を一体にしたりしている。
▲２▼  サンプリング周波数を変更し、これに合わせてローパスフィルタのカットする周波数を変更している。あるいは、使用者が入力されてくるアナログ映像信号の程度に応じて調整することが可能としている。
▲３▼  既存のアナログ映像のデジタル映像への変換専用機であり、このため記録部や表示部を有していない。
▲４▼  表示部はＣＲＴでなく、その他のもの、例えば液晶表示盤、としている。
【００４４】
▲５▼  第２の実施の形態において、制御回路は、Ａ−Ｄコンバータ回路から直接信号を入力されるようになっている。また、確実に各フレームを検出するため、同期信号を入力されたり、別途クロック信号を入力されたりするようになっている。また、相関検出も、回路的に負担とならないので、全ての画素につき検出している。
▲６▼  Ａ−Ｄコンバータ回路等は、外部から入力されてくるアナログ映像信号が、通常のＮＴＳＣ方式かハイビジョン放送かを自動的に検出したり、別途使用者から入力されたりして、それに応じての処理をなせるようプログラムされている（極端な場合、必要な回路等は複数有し、入力信号に適した方に切り換えを行なう）。
【図面の簡単な説明】
【図１】ＮＴＳＣ方式のテレビジョン信号の構成を概念的にを示した図である。
【図２】本発明に係る映像信号Ａ−Ｄ変換装置の輝度信号を変換する様子を概念的に説明するための図である。
【図３】従来技術に係る映像信号Ａ−Ｄ変換装置の構成図である。
【図４】アナログ方式のテレビジョン信号をデジタル信号に変換するときの信号レベルを説明するための概念図である。
【図５】本発明に係る映像信号Ａ−Ｄ変換装置の各実施の形態に採用しているＡ−Ｄ信号変換増幅部の構成を示す図である。
【図６】上記Ａ−Ｄ変換増幅部の増幅回路の構成を示す図である。
【図７】本発明に係る映像信号Ａ−Ｄ変換装置の第１の実施の形態の構成図である。
【図８】演算の丸め誤差を説明するための図であり、入力されたアナログ信号とそのサンプリング点を示す。
【図９】演算の丸め誤差を説明するための図であり、サンプリング点でのデジタル値をしめす。
【図１０】演算の丸め誤差を説明するための図であり、図９に示すデジタル値を１．５倍した値を示す。
【図１１】演算の丸め誤差を説明するための図であり、ローパスフィルタ通過後のデジタル値を示す。
【図１２】本発明に係る映像信号Ａ−Ｄ変換装置の第２の実施の形態の構成図である。
【図１３】本発明に係る映像信号Ａ−Ｄ変換装置の制御回路の構成図である。
【図１４】本発明に係る映像信号Ａ−Ｄ変換装置の動き検出制御回路の構成と処理手順を示した図である。
【符号の説明】
１１        Ａ−Ｄコンバータ回路
１１１      上流側のＡ−Ｄコンバータ回路
１１２      下流側のＡ−Ｄコンバータ回路
１２        Ｙ／Ｃ分離回路
１３        同期信号検出回路
１３１      上流側の同期信号検出回路
１３２      下流側の同期信号検出回路
１４        同期信号変換回路
１５        デジタル振幅増幅回路
１５０      加算回路
１５１      １ビット右シフト回路
１６        ローパスフィルタ
１６ｂ      ローパスフィルタからセレクタへの信号線
１７        制御回路
１７ａ      Ｙ／Ｃ分離回路から制御回路への信号線
１７ｂ      制御回路からセレクタへの信号線
１７１１    標本点記憶部
１７１２    標本点採取部
１７１３    しきい値記憶部
１７１４    比較部
１７１５    動き判定部
１７１６    切り替え信号出力部
１７０      動き検出回路
１７２      相関検出制御回路
１７３      相関検出回路
１７４      判定回路
３１        Ｄ−Ａコンバータ回路
３２        振幅増幅回路
【図１】
0003606766.tif 000002
【図２】
0003606766.tif 000003
【図３】
0003606766.tif 000004
【図４】
0003606766.tif 000005
【図５】
0003606766.tif 000006
【図６】
0003606766.tif 000007
【図７】
0003606766.tif 000008
【図８】
0003606766.tif 000009
【図９】
0003606766.tif 000010
【図１０】
0003606766.tif 000011
【図１１】
0003606766.tif 000012
【図１２】
0003606766.tif 000013
【図１３】
0003606766.tif 000014
【図１４】
0003606766.tif 000015